(57)【要約】【課題】入力したカラー画像信号を調整値に基づいて容易に調整する。【解決手段】カラー画像を入力し、カラー画像信号を出力する画像入力部１と、この画像入力部からのカラー画像信号を、色変換ルックアップテーブルを使用して元の色空間とは別の色空間の信号に変換する色変換処理部２と、この色変換処理部にて変換されるカラー画像信号を調整する、例えば、カラー画像信号における黒側の濃さのレベルを調整する調整値やカラー画像信号の色空間を変更する変更値などを入力する調整値入力部６と、色変換処理部の色変換ルックアップテーブルを調整値入力部が入力する調整値をもとに作成する色変換ルックアップテーブル作成部７とを備えている。【選択図】    図１
2004254226.tif 000002
【特許請求の範囲】
【請求項１】
カラー画像を入力し、カラー画像信号を出力する画像入力部と、この画像入力部からのカラー画像信号を、色変換ルックアップテーブルを使用して元の色空間とは別の色空間の信号に変換する色変換処理部と、この色変換処理部にて変換されるカラー画像信号を調整するための調整値を入力する調整値入力部と、前記色変換処理部の色変換ルックアップテーブルを前記調整値入力部が入力する調整値をもとに作成する色変換ルックアップテーブル作成部とを備えたことを特徴とする画像入力装置。
【請求項２】
前記調整値入力部が入力する調整値は、画像入力部からのカラー画像信号における黒側の濃さのレベルを調整する調整値であることを特徴とする請求項１記載の画像入力装置。
【請求項３】
前記調整値入力部が入力する調整値は、画像入力部からのカラー画像信号の色空間を変更する変更値であることを特徴とする請求項１記載の画像入力装置。
【請求項４】
前記色変換ルックアップテーブル作成部は、カラー画像信号における黒側の濃さのレベルを調整した後に色空間を変更するという順で色変換ルックアップデータを作成することを特徴とする請求項１記載の画像入力装置。
【請求項５】
カラー画像を画像入力部に入力してカラー画像信号を出力し、このカラー画像信号を、調整値入力部から入力する調整値をもとに作成された色変換ルックアップテーブルを使用して元の色空間とは別の色空間の信号に変換することを特徴とする画像入力方法。
【請求項６】
前記調整値入力部が入力する調整値は、画像入力部からのカラー画像信号における黒側の濃さのレベルを調整する調整値であることを特徴とする請求項５記載の画像入力方法。
【請求項７】
前記調整値入力部が入力する調整値は、画像入力部からのカラー画像信号の色空間を変更する変更値であることを特徴とする請求項５記載の画像入力方法。
【請求項８】
カラー画像信号における黒側の濃さのレベルを調整した後に色空間を変更するという順で色変換ルックアップデータを作成することを特徴とする請求項５記載の画像入力方法。
【発明の詳細な説明】
【０００１】
【発明の属する技術分野】
本発明は、スキャナー等を使用した画像入力装置及び画像入力方法に関する。
【０００２】
【従来の技術】
例えば、スキャナーの用途としては、写真や図柄などをカラー画像として入力し、そのまま文書に貼り付けて使用することや、文字原稿を入力してそのままＯＣＲ（光学文字読取り）ソフトにかけて電子データに変換するなどの用途が一般に知られている。また、大量の業務文書をスキャナーで読取り、電子データに変換してデータベース化するケースも増えている。そして、従来のスキャナーは、画像を入力する場合に単体で行える調整は下地除去などの、下地かぶりを調整できる程度で、例えば、カラー画像信号における黒側の濃さのレベルを調整するなどの他の調整はできなかった。
【０００３】
【発明が解決しようとする課題】
このため、スキャナーから画像データを取り込んでも入力画像を調整できるアプリケーションがない場合には満足の行く入力にならない場合が多々あった。また、取り込んだ画像データを調整できるアプリケーションがあったとしても、電子データをベース化するための入力のように大量にデータ入力した場合、後から１ページずつ調整するのは非常に手間のかかる作業になってしまうという問題があった。特に、文書データの文字濃度を調整したい、写真などの色再現を重視した入力を行う際に色空間を指定したいなどの要望に応えることができなかった。
【０００４】
本発明は、入力したカラー画像信号を調整値に基づいて容易に調整でき、黒側の濃さのレベル調整や色空間変更なども容易に実現できる画像入力装置及び画像入力方法を提供する。
【０００５】
【課題を解決するための手段】
本発明は、カラー画像を入力し、カラー画像信号を出力する画像入力部と、この画像入力部からのカラー画像信号を、色変換ルックアップテーブルを使用して元の色空間とは別の色空間の信号に変換する色変換処理部と、この色変換処理部にて変換されるカラー画像信号を調整するための調整値、例えば、カラー画像信号における黒側の濃さのレベルを調整する調整値やカラー画像信号の色空間を変更する変更値などを入力する調整値入力部と、色変換処理部の色変換ルックアップテーブルを調整値入力部が入力する調整値をもとに作成する色変換ルックアップテーブル作成部とを備えたものである。
【０００６】
【発明の実施の形態】
以下、本発明の実施の形態を、図面を参照して説明する。
【０００７】
図１は全体の構成を示すブロック図で、１はカラー画像を入力し、カラー画像信号を出力するＣＣＤ等で構成される画像入力部である。前記画像入力部１が出力するカラー画像信号を色変換処理部２に供給している。
【０００８】
前記色変換処理部２は、画像入力部１からのカラー画像信号を、色変換ルックアップテーブルを使用して元の色空間とは別の色空間の信号に変換して出力する。前記色変換処理部２が出力する画像信号をシャープネス調整部３に供給している。前記シャープネス調整部３は入力画像信号をシャープネス調整し、調整後の画像信号を画像記憶装置４に記憶するようにしている。
【０００９】
前記画像記憶装置４に記憶された画像信号は読み出されて画像表示装置５に表示されるなど、電子データとして使用されるようになっている。
【００１０】
また、６は前記色変換処理部２にて変換されるカラー画像信号を調整するための調整値を入力する調整値入力部で、この調整値入力部６で入力した調整値を色変換ＬＵＴ（ルックアップテーブル）作成部７に供給している。前記色変換ＬＵＴ作成部７は、調整値入力部６が入力する調整値をもとに色変換ルックアップデータを出力する。前記色変換処理部２には色変換ルックアップテーブルデータが入力される。
【００１１】
前記調整値入力部６は、図２に示すように、下地除去調整手段６１、黒濃度調整手段６２、色空間指定手段６３を設け、前記下地除去調整手段６１により下地除去調整値を入力し、前記黒濃度調整手段６２によりカラー画像信号における黒側の濃さのレベルを調整する調整値を入力し、前記色空間指定手段６３により各種色空間を指定し、これにより色空間を変更する変更値が調整値の一種として入力するようになっている。
【００１２】
前記調整値入力部６から入力した調整値は前記色変換ＬＵＴ作成部７に供給され、この色変換ＬＵＴ作成部７において前記色変換処理部２に設定する色変換ＬＵＴデータが作成されるようになっている。前記色変換処理部２は色変換ＬＵＴ作成部７が作成した色変換ＬＵＴデータに基づいて色変換ルックアップテーブルを設定し、画像入力部１からのカラー画像信号に対して前記調整値入力部６から入力した調整値が指定した内容で色変換処理を行うようになっている。
【００１３】
前記調整値入力部６は、ユーザが設定できるようにコントロールパネル上にあっても、また、隠しコードのように特定の人だけが調整できるようになっていてもよい。いずれにしても、調整値入力部６からの調整値に基づいて色変換ＬＵＴ作成部７は色変換ＬＵＴデータを作成することになる。
【００１４】
また、色空間指定手段６３が指定する色空間Ａ、Ｂ、Ｃ、Ｄとしては、例えば、国際規格であるｓＲＧＢやＡｄｏｂｅＲＧＢ（登録商標）などがあり、それぞれの規格に沿った色空間を割当てることができる。また、ユーザ指定の色空間に変換するためのγ値、マトリックス値等を別途入力できる入力手段を使用してこれらの値を与えることで、ユーザが希望する色空間を色空間Ａ、Ｂ、Ｃ、Ｄに割当てることも可能である。
【００１５】
また、黒濃度調整手段６２による黒濃度の調整に関しては、ＲＧＢ、Ｌ＊ａ＊ｂ＊、Ｌ＊ｕ＊ｖ＊、ＸＹＺなどの色空間上において事前に与えられた閾値を越えた濃い部分のみ、調整値によって指定される目標となる黒の濃さを使用して再規格化を行う等の方法が知られている。これは一種のレンジ幅の補正と考えられる。実際には、色変換ＬＵＴのグリッド点数に合わせて入力値に対する出力期待値を求めておく。なお、グリッド点数とは、例えば、Ｒ＝０〜２５５階調、Ｇ＝０〜２５５階調、Ｂ＝０〜２５５階調のときにＲ、Ｇ、Ｂそれぞれについて、例えば、１６階調飛びに点を決めると、その点はＲ、Ｇ、Ｂのそれぞれについて１７個となるが、これらの点をグリッド点と称し、その総数＝１７×１７×１７を示している。
【００１６】
色変換ＬＵＴ作成部７では、この黒濃度調整を行った出力期待値に対し、色空間を変換するためのγ値とマトリックス値を与えて既知の色空間変換方法により変換を行う。黒濃度調整時の出力期待値にこの色変換処理をかければ、色変換ＬＵＴの各グリッド点における、希望する色空間で希望する調整がかかった出力期待値が得られる。すなわち、これは、カラー画像信号における黒側の濃さのレベルを調整した後に色空間を変更するという順で色変換ルックアップデータを作成することを示している。
【００１７】
また、下地除去調整手段６１で入力された調整値などの調整を調整ステップのいずれかの部分に入れ込んで期待値を作ることも可能である。例えば、黒濃度調整処理を施した後、下地除去処理を施し、最後に色空間変換処理をかけて期待値を得るというステップである。
【００１８】
このように、簡単な計算処理により色変換ＬＵＴのグリッド点毎に出力期待値を作成し、それを色変換処理部２に設定することで、簡単に、希望するカラー画像の入力を行うことができる。すなわち、入力したカラー画像信号を調整値に基づいて容易に調整でき、黒側の濃さのレベル調整や色空間変更なども容易に実現できる。
【００１９】
なお、この実施の形態では、調整値入力部から、下地除去調整、黒濃度調整、色空間指定を行う各調整値を入力して色変換ＬＵＴデータを作成するものについて述べたがこれに限定するものではなく、これらの調整値以外に、例えば、原稿モードなどの他の調整情報も合わせて入力して色変換ＬＵＴデータを作成するものであってもよい。
【００２０】
また、全体の構成は図１のブロックに限定するものではなく、画像補正処理や圧縮処理などのブロックを適宜追加して入力画像データの補正処理や圧縮処理を行っても良い。例えば、画像を圧縮処理するブロックを追加すれば、圧縮処理した画像データを画像記憶装置４に記憶させることもできる。このように要部ブロック以外にどのような処理ブロックが介在しても問題はない。
【００２１】
【発明の効果】
以上詳述したように本発明によれば、入力したカラー画像信号を調整値に基づいて容易に調整でき、黒側の濃さのレベル調整や色空間変更なども容易に実現できる画像入力装置及び画像入力方法を提供できる。
【図面の簡単な説明】
【図１】本発明の実施の形態を示すブロック図。
【図２】同実施の形態における調整値入力部の構成を示す図。
【符号の説明】
１…画像入力部、２…色変換処理部、６…調整値入力部、７…色変換ＬＵＴ作成部、６２…黒濃度調整手段、６３…色空間指定手段。
【図１】
2004254226.tif 000003
【図２】
2004254226.tif 000004